(57)【要約】長距離通信のためのシステムが開示される。システムは、基地局及びクレジット・カード・サイズの無線長距離通信装置（４０）を含む。無線長距離通信装置（４０）の各々は、無線送受信器（４２）と、マン・マシン・インターフェイス（例えば、ディスプレイ（４６）及び押しボタン（４８））と、処理装置と、電源（例えば、一次及び二次の電池）と、アンテナ（４４）とを備える。好ましくは、無線通信装置（４０）は柔軟性を有する（例えば、スマート・カード様式）。
2004533145.tif 000002
【特許請求の範囲】
【請求項１】
通信システムにおいて、
ａ）少なくとも１つのクレジット・カード・サイズの無線長距離通信装置を備え、
ｂ）前記クレジット・カード・サイズの無線長距離通信装置は基地局と通信する、通信システム。
【請求項２】
前記基地局は高温超伝導受信器を備える、請求項１に記載の通信システム。
【請求項３】
前記少なくとも１つのクレジット・カード・サイズの無線長距離通信装置は
ａ）受信器と、
ｂ）アンテナと、
ｃ）マン・マシン・インターフェイスと、
ｄ）処理装置と、
ｅ）電源と、を備える、
請求項１に記載の通信システム。
【請求項４】
前記クレジット・カード・サイズ無線長距離通信装置は更に、送信器を備える、請求項３に記載の通信システム。
【請求項５】
前記受信器は周波数シフト・キーイング受信器を備える、請求項３に記載の通信システム。
【請求項６】
前記受信器は直接シーケンス・スペクトラム拡散変調器を備える、請求項３に記載の通信システム。
【請求項７】
前記直接シーケンス・スペクトラム拡散変調器は差動位相シフト・キーイングを備える、請求項６に記載の通信システム。
【請求項８】
前記マン・マシン・インターフェイスはディスプレイを備える、請求項３に記載の通信システム。
【請求項９】
前記ディスプレイは薄状ポリマー放射型ディスプレイである、請求項８に記載の通信システム。
【請求項１０】
前記ディスプレイは、図形及びテキスト情報を表示可能である、請求項８に記載の通信システム。
【請求項１１】
前記マン・マシン・インターフェイスは少なくとも１つの押しボタンを備える、請求項８に記載の通信システム。
【請求項１２】
前記電源は一次電池を備える、請求項３に記載の通信システム。
【請求項１３】
前記一次電池電池はリチウム再充電不可能電池である、請求項１２に記載の通信システム。
【請求項１４】
前記電源は二次電池を備える、請求項３に記載の通信システム。
【請求項１５】
前記二次電池は、リチウム再充電可能電池である、請求項１４に記載の通信システム。
【請求項１６】
前記電源は更に、
ａ）定電流源充電器と、
ｂ）低ドロップアウト・アナログ・レギュレータとを備える、
請求項１５に記載の通信システム。
【請求項１７】
前記アンテナはモノポール・アンテナである、請求項３に記載の通信システム。
【請求項１８】
前記アンテナはダイポール・アンテナである、請求項３に記載の通信システム。
【請求項１９】
前記アンテナはパッチ・アンテナである、請求項３に記載の通信システム。
【請求項２０】
前記システムは、音声応答アーキテクチャであり、更に
ａ）マイクと、
ｂ）集積広帯域処理装置と、を備える、
請求項３に記載の通信システム。
【請求項２１】
前記クレジット・カード・サイズの無線長距離通信装置は柔軟性を有する、請求項１に記載の通信システム。
【請求項２２】
前記クレジット・カード・サイズの無線長距離通信装置は約３０ｋｍの距離を通信可能である、請求項１に記載の通信システム。
【発明の詳細な説明】
【技術分野】
【０００１】
本発明は、概して、通信システムに関し、より詳しくは、小型通信システムに関する。
【背景技術】
【０００２】
市販の通信システムの小型化は、マイクロ・セルラー・アーキテクチャ（ｍｉｃｒｏ−ｃｅｌｌｕｌａｒ  ａｒｃｈｉｔｅｃｔｕｒｅ）の使用に焦点が置かれ、例えば、図１においては、遠隔通信装置２２と通信するための高出力の基地局送信器２０と、多数のマイクロセル（ｍｉｃｒｏ−ｃｅｌｌ）受信器とを用いたものがある。
【発明の開示】
【発明が解決しようとする課題】
【０００３】
遠隔通信装置が低出力の無線周波数（ＲＦ）信号のみを発振する場合、多数の受信器が、高出力の送信器の区域に含まれている必要がある。多数の受信器が必要となると、マイクロ・セルラー・アーキテクチャは費用がかかる。軍隊の戦場は流動的でたえず変化するため、これまでの市販の通信システムは、軍隊配備には向かない。
【０００４】
従って、軍隊配備に適したアーチテクチャを持つ小型通信システムが必要である。好ましくは、アーキテクチャは、航空機（有人または無人）や、塔頂に搭載可能な基地局を有する。
【課題を解決するための手段】
【０００５】
通信のためのシステムが開示されている。システムは、基地局及びクレジット・カード・サイズ程度の無線長距離通信装置を備えている。
望ましくは、基地局は高温超伝導受信器を備えている。
【０００６】
本発明の別の態様では、各無線通信装置は、無線送受信器と、マン・マシン・インターフェイスと、処理装置と、電源と、アンテナとを含む。
本発明の更に別の態様では、無線送受信器は、好ましくは、周波数シフト・キーイング受信器を含む。好ましくは、無線送受信器は差動位相シフト・キーイングを有する直接シーケンス・スペクトラム拡散変調器を含む。
【０００７】
本発明のまた別の態様では、マン・マシン・インターフェイスはディスプレイを備えている。好ましくは、ディスプレイは、図形及びテキストの両情報を表示することが可能な薄状ポリマー放射型ディスプレイである。好ましくは、マン・マシン・インターフェイスは押しボタン（例えば、４つの押しボタン）を含む。
【０００８】
本発明の更なる態様では、電源は電池を含む。好ましくは、電池は一次リチウム再充電不可能電池、または、二次リチウム・ポリマー再充電可能電池である。好ましくは、電源は、定電流源充電器及び低ドロップアウト・アナログ・レギュレータも含む。
【０００９】
本発明のまた更なる態様では、アンテナは、モノポール・アンテナ、または、ダイポール・アンテナ、または、パッチ・アンテナである。
発明のまた更なる態様では、通信システムは音声応答アーキテクチャであって、マイクを含む。好ましくは、音声応答アーキテクチャは集積広帯域処理装置をも含む。
【発明を実施するための最良の形態】
【００１０】
図２に示すように、本発明の典型的なアーキテクチャは、クレジット・カード・サイズの無線通信装置と通信する単一の高出力基地局２０を含むネットワーク・アーキテクチャである。従って、ここでは、本発明をクレジット・カード通信システム（Ｃｒｅｄｉｔ  Ｃａｒｄ  Ｃｏｍｍｕｎｉｃａｔｉｏｎｓ  Ｓｙｓｔｅｍ）（Ｃ３Ｓ）と呼ぶことにする。単一の基地局（または、質問器（ｉｎｔｅｒｒｏｇａｔｏｒ））アーキテクチャに起因して、Ｃ３Ｓシステムは、戦地での作戦に適応可能な迅速なセットアップ及び機動性を備えることが可能である。軍事作戦に非常に適しているが、本発明は、そのことに限定されないということが理解されるであろう。例えば、本発明は、好ましくは、スマート・カード機能を備えるクレジット・カード・サイズのポケットベルのような商業利用も含んでいる。本発明は、低コストの長距離能動型の無線識別装置（ＲＦＩＤ）として機能する機能低減装置としても利用可能である。例えば、クレジット・カード・サイズの通信装置の数個は、運送用パレットやコンテナの各面に取り付けることができる。従来のＲＦＩＤは、本発明のクレジット・カード・サイズの通信装置よりも、非常に多くの費用がかかる。なぜならば、スマート・カード形状の装置は大量生産が可能であるからである（例えば、リール・トゥ・リール（ｒｅｅｌ  ｔｏ  ｒｅｅｌ）方式）。本発明のクレジット・カード通信システムは全地球測位システム（ＧＰＳ）を用いて通信することができ、クレジット・カード通信装置はその位置を受信して、基地局にその位置をアップロードすることができる。本発明の別の応用例は、電話番号を含む情報を受け取るためのクレジット・カード通信装置である。カードを電話機に挿入すると、電話番号が自動的にダイアルされる。前記の例は本発明のクレジット・カード通信システムの数件の可能な応用例を説明したものであって、他にも多くの応用例が可能である。
【００１１】
図２に示すように、Ｃ３Ｓは高出力順方向チャネル送信器３０を利用している。その理由は、Ｃ３Ｓの通信器は、極端なサイズ的制約のため簡単な受信器を使用し、好ましくは、ＦＳＫ変調器を使用するからである。典型的な実施形態において、Ｃ３Ｓは、高温超伝導技術とスペクトラム拡散符号化とを用いて、基本感度を向上させ、多数のマイクロ・セルラー受信器を必要とはしなくなった。向上した基地局により、Ｃ３Ｓの通信器の無線周波数の出力は非常に低くなり、電池の寿命が延び、小さな平面電池を使用することが可能となった。図３は、Ｃ３Ｓクレジット・カード４０の典型的な構造を示している。クレジット・カード４０の外観は、スマート・カードの形状（例えば、約９．６ｍｍ×６．４ｍｍ、厚さ０．７９ｍｍ）であり、複合送受信器４２と、アンテナ４４と、マン・マシン・インターフェイス（ＭＭＩ）とを含む。好ましくは、通信器のＭＭＩは、例えば、ドット・マトリックス・ディスプレイ等のディスプレイ４６と、押しボタン４８と、マイク（図示せず）とを含む。スマート・カード形状が好ましいが、他の構造を用いることもでき、例えば、カードは磁気カードとすることができる。
【００１２】
テキストや図形の情報は、例えば、順方向チャネル周波数シフト・キーイング（ＦＳＫ）により、通信器へと送られる。利用者は、例えば、直接シーケンス・スペクトラム拡散（ＤＳＳＳ）、位相シフト・キーイング（ＰＳＫ）逆方向チャネルによって、基地局と通信をすることができる（例えば、所定の返答及び／又は圧縮音声を使用）。好ましくは、本発明のＣ３Ｓの単一基地局アーキテクチャは、順方向チャネル高出力基地局及び最適化された逆方向チャネルを基礎とする。アーキテクチャは、さまざまな技術を組み合わせており、例えば、ＤＳＳＳ、高温超伝導受信器、適応基地局アンテナ・アレーがある。これらの技術によって、低出力のＣ３Ｓ送信器が、容認できるほど低いエラー率で基地局と通信することができる。
【００１３】
好ましくは、本発明は、質問器の感度を向上させ、かつ、不要な信号を取り除くため、ＤＳＳＳ逆方向チャネルを使用している。ＤＳＳＳ通信の特性により、遠隔送信器からの通信が相関したとき、干渉する信号は、非相関される。このことにより、受信器の低雑音増幅器（ＬＮＡ）に過負荷をかけるほど強くはない不要な信号の除去が可能となる。
【００１４】
質問器の感度は、温度と帯域幅の関数である。ＤＳＳＳが基礎のリンクのため、帯域幅は、集中的なコード（ｆｏｃｕｓｅｄ  ｃｏｄｅ）に対する干渉性の帯域幅となる。好ましくは、Ｃ３Ｓは１０００ヘルツの集中的なコード帯域及び７７ケルビンの温度を用いる。
【００１５】
適応質問器アンテナ・アレーは不要な信号を取り除くことの補助となる。その理由は、必要な信号とは同じ地理的位置にはない不要な信号は、セクタ利得アンテナ・アレーや適応セクタ利得アンテナ・アレーの使用によって取り除くことができるからである。適応セクタ利得アンテナ・アレーは必要な信号から不必要な信号を取り去って、不必要な信号をキャンセルする。
【００１６】
受信器の感度は、主に、雑音指数及び雑音電力によって決定される。高温超伝導（ＨＴＳ）によって、ＬＮＡ及び前置パワーフィルタＲＦ構成要素を０．５ｄＢ以下の雑音指数を実現できるように構成することが可能となる。加えて、雑音電力は、システムの温度及び帯域幅によって設定される。このようにして、質問器全体の受信感度は大きくとも−１８６ｄＢｍとなる。
【００１７】
以下に詳細に説明するように、典型的な実施形態においては、技術の融合により、Ｃ３Ｓ通信器が、長距離通信（例えば、約３０ｋｍ）を行うことや、内蔵型クレジット・カード形状となることや、フレキシブル放射型ディスプレイを備えたＭＭＩを含むことや、低再生コストを持つこと、が可能となる。長距離通信は、以下の技術によって達成されるものであり、その技術は、ＨＴＳ質問受信器、低姿勢（ｌｏｗ  ｐｒｏｆｉｌｅ）効率アンテナ、ＤＳＳＳ、及び質問器適応アンテナ・アレーである。内蔵型スマート・カード形状は、以下の技術を用いて達成されるものであり、その技術は（柔軟性のあるカードを生成する）薄状可撓性ダイ、個々の抵抗及びコンデンサをなくして製造費用を削減するプリント集積受動素子、フレックス（ｆｌｅｘ）上のフリップ・チップ（半田ボール連結パッドを用いて、ダイを基板材料に取り付けるダイ取り付け方法）、薄状リチウム・ポリマー電池、マイクロ電気機械システム（Ｍｉｃｒｏ  Ｅｌｅｃｔｒｏ  Ｍｅｃｈａｎｉｃａｌ  Ｓｙｓｔｅｍ（ＭＥＭＳ））マイク、及び低姿勢効率アンテナである。薄状ポリマー放射型ディスプレイの技術は、集積ＭＭＩに使用される。以下は、本発明に係るクレジット・カード通信システムを生産するための低再生コストに寄与する典型的な技術であって、その技術はリール・トゥ・リール方式及び流体内自己アセンブリーである。流体内自己アセンブリー（ＦＳＡ（商標））は、ディスプレイ材料の処理からトランジスタの製造を分離し、全タイプの平板ディスプレイ（ＦＰＤ）への駆動電子部品の組付けを効率的に行うことができる処理である。例えば、エイリアン・テクノロジー（Ａｌｉｅｎ  Ｔｅｃｈｎｏｌｏｇｙ（商標））によって開発されたＦＳＡ（商標）の説明がなされたｗｗｗ．ａｌｉｅｎｔｃｈｎｏｒｏｇｙを参照されたし。ＦＡＳ処理はディスプレイ以外の装置にも応用することができると考えられる。
【００１８】
図４に示すように、本発明に係るクレジット・カード通信システムの典型的なアーキテクチャは、４つの主要なサブシステムである、無線送受信器５０、マン・マシン・インターフェイス５２、処理装置５４及び電源５６を含む。典型的な無線送受信器には、情報をカードへ伝達する確実な手段として、単一変換周波数シフトキーイング（ＦＳＫ）受信器５８が利用される。好ましくは、受信器５８は特定用途向け集積回路（ＡＳＩＣ）装置である。好ましくは、送信器は干渉を取り除いたり、逆方向チャネルリンクの範囲を広げるために、直接シーケンス・スペクトラム拡散方式（ＤＳＳＳ）の差動位相シフト・キーイング（ＤＰＳＫ）変調器６８に具体化される。
【００１９】
典型的な実施形態において、マン・マシン・インターフェイス５２は、４分の１のＶＧＡサイズのドット・マトリクス（図３の４６）ディスプレイと、４つの押しボタン（図３の４８）に具体化される。好ましくは、ディスプレイ４６はテキスト及び図形の組合せを保持することが可能である。例えば、ディスプレイは、コンテキスト・センシティブ・テキスチュアル・プロンプト（ｃｏｎｔｅｘｔ  ｓｅｎｓｉｔｉｖｅ  ｔｅｘｔｕａｌ  ｐｒｏｍｐｔｓ）を保持し、利用者は複数の機能のための４つの押しボタンを再び利用する。
【００２０】
処理装置５４の主な機能は、表示用の順方向チャネルの情報を処理して、逆方向チャネルの情報を生成することである。典型的な実施形態において、順方向チャネルは、処理の単純さ（これは電力消費を最小化する）及び順方向チャネルの干渉波に対する搬送波の高い割合（Ｃ／Ｉ）に起因して、単純な繰り返し動作を利用する。好ましくは、逆方向チャネルは、強力な順方向のエラー訂正符号を利用する。
【００２１】
好ましくは、電源５６は、定電流源充電器６２及び低ドロップアウト・アナログ・レギュレータ（ＬＤＯ）６４とともに、単一のリチウム（Ｌｉ）ポリマー二次化学（再充電可能な）電池６８を含む。スイッチ・モード・レギュレータは、アナログ・レギュレータよりも通常、効率がよいが、十分な大きさの磁気素子を集積受動素子構造に実現することは困難である。アナログ・レギュレータに関しては、低ドロップアウト・レギュレータ回路技術は最も効果的であり、効率が最大となるように、電池固有の平坦な放電曲線と適合させることができる。
【００２２】
代替例のアーキテクチャは、図５に示すような、音声応答アーキテクチャである。音声応答アーキテクチャは図４に示す典型的なアーキテクチャと類似しているが、２つの大きな違いがある：（１）利用者が音声情報を基地局へ送信することができるように、マイク７０（例えば、ＭＥＭＳマイク）が備えられている。（２）音声トラヒックの効率的な送信が、逆方向チャネル符号化に許可されている。好ましくは、符号化機能は、集積ベースバンド処理装置７２に含まれる、ボコーディング（ｖｏｃｏｄｉｎｇ）（圧縮）、順方向エラー訂正符号化、フレーム化、等を含む。
【００２３】
クレジット・カード形状に起因して、用いられるアンテナ構造は、クレジット・カード形状に収まるように一体化できる必要がある。図６は、３つのとり得るアンテナ・デザインとして、モノポール・アンテナ１００、ダイポール・アンテナ１０２、及びパッチ・アンテナ１０４を示している。
【００２４】
好ましくは、Ｃ３Ｓ通信カードの電源は、平板状で、高いエネルギー密度を有している。典型的な実施形態においては、一次の再充電不可能な薄状リチウム電池や二次の再充電可能な薄状リチウム・ポリマ−電池が用いられる。
【００２５】
国際標準化機構（ＩＳＯ）の標準コンタクト・パッド（図４の６６）は、双方向のビットシリアル通信リンクを介して、Ｃ３Ｓの集積処理装置と通信する手段を提供する。加えて、コンタクト・バッドも電力を供給するとともに、接地されており、電池を充電するために利用することができる。
【００２６】
基地局とＣ３Ｓ通信器との間の通信に利用される質問プロトコルの選択は、電池の持続時間を長くするために、通信器にとって非常に重要である。通信プロトコルの開発と同様に、性能モデリングは一般的に公知の基本的なプロトコルに基づく。本発明の典型的な実施形態は、リザベーション・アロハ・モデル（ｒｅｓｅｒｖａｔｉｏｎ  ａｌｏｈａ  ｍｏｄｅｌ）をＣ３Ｓプロトコルの基礎として利用する。
【００２７】
アロハは、衛星や地上無線送信に使われるプロトコルである。純粋なアロハにおいては、利用者はいつでも送信できるが、他の利用者の通信と衝突する虞がある。" スロット付アロハ（ｓｌｏｔｔｅｄ  ａｌｏｈａ）" は、チャネルを複数の時間スロットに分割して、利用者に、時間スロットの最初のみの送信を要求することによって衝突の機会を減らす。アロハを基礎とする他のプロトコルと同様に、時間はスロットに分割される。Ｃ３Ｓプロトコルは、図７に示すように、Ｎ個のスロットを、Ｘ秒毎に繰り返されるマスターフレームにまとめて、グループ化する。図８に示すように、Ｃ３Ｓ通信器は、初期設定によりハッシュ関数を介してマスターフレーム中の特定のスロットに割り当てられる。通信器は、その割り当てられた時間スロットの間だけ、休止から立ち上がる。システムは、その後の質問の待ち時間を最小にするために、通信の質問の後の所定時間の間に、付加的なスロットを割り当てる。
【００２８】
休止中の電力節約を向上させるため、低周波数の抵抗コンデンサ（ＲＣ）発振器／相補型金属酸化膜半導体（ＣＭＯＳ）カウンタが、通信器が休止している時間を測定するために用いられる。通常は、水晶発振器がＣＭＯＳカウンタを駆動させるために用いられる。しかし、水晶発振器を基礎とする構成は、Ｃ３Ｓ通信器の大きさ及び電力の制限があるため、好ましくない。低速発振器はより効率的であるが、大きな水晶を必要とする。カードに適合するような小さな水晶は、非常に電力効率が悪い。
【００２９】
ＲＣ発振器の精度は、電圧、温度、ＣＭＯＳ処理の変動の関数である。潜在的な問題は軽減することができる。その理由は、電圧は通信器の電圧レギュレータによって正確に制御され、そして、温度と処理の変動は、図１０に示すように、休止を、基地局（または、ネットワーク）からのフィードバックのタイミングに合わせることにより対処することができるからである。
【００３０】
典型的なＣ３Ｓ通信状態の図を図１１に示す。休止タイマーは休止状態（１１０）からシステムを立ち上らせる。立ち上ると、システムは質問フレームを探索し、タイマーをスタートさせる（１１２）。フレームが発見されると、システムは休止タイマー補正を計算する（１１４）。そして、システムは質問フレームを解読する（１１６）。もし、質問フレームのＩＤが適合するならば（すなわち、もし、識別ＩＤがこのクレジット・カード通信装置の特定の識別ＩＤと適合するならば）、応答（例えば、キーボード応答、音声通信応答、またはそれらの組合せ）が送信される（１１８）。応答が送信されるか（１１８）、または、ＩＤが適合しないと、システムは休止状態に戻る（１１０）。
【００３１】
Ｃ３Ｓ通信システムは、順方向及び逆方向のチャネルで、同一のフレーム形式を用いている。図１２に示すように、フレームは、ビット同期と、フレーム同期と、ペイロードと、巡回冗長検査（ＣＲＣ）とから構成されている。ペイロードは任意のデータとすることができ、例えば、クエリーＩＤ及び時間同期情報がある。
【００３２】
本発明の付加的な変更や改良が、当業者には明らかであろう。従って、ここで説明及び図示された部品の特定の組合せは、本発明の単なる実施形態を表したのであって、発明の精神及び範囲にある他の装置を限定する役割を果たすものではない。
【図面の簡単な説明】
【００３３】
【図１】典型的な従来技術の市販のマイクロ・セルラー・アーキテクチャの図。
【図２】本発明に従って形成された典型的なアーキテクチャの図。
【図３】本発明のクレジット・カード通信システムの典型的な構成。
【図４】本発明のクレジット・カード通信システムの典型的なアーキテクチャのブロック図。
【図５】本発明の通信システムの別の（音声応答）アーキテクチャのブロック図。
【図６】本発明の典型的なアーキテクチャの使用に好適な典型的なアンテナ構造を示す図。
【図７】ハッシュ関数による、マスターフレーム中の特定スロットの割り当てを示す図。
【図８】適応休止により、処理及び温度の変化による抵抗コンデンサ（ＲＣ）の発振器周波数の変化がどのようにして取り除かれるかを示す図。
【図９】典型的な通信状態の図。
【図１０】順方向及び逆方向チャネルのフレーム形式の図。
【図１】
2004533145.tif 000003
【図４】
2004533145.tif 000004
【図５】
2004533145.tif 000005
【図６】
2004533145.tif 000006
【図７】
2004533145.tif 000007
【図８】
2004533145.tif 000008
【図９】
2004533145.tif 000009
【図１０】
2004533145.tif 000010
【国際公開パンフレット】
2004533145.tif 000011
2004533145.tif 000012
2004533145.tif 000013
2004533145.tif 000014
2004533145.tif 000015
2004533145.tif 000016
2004533145.tif 000017
2004533145.tif 000018
2004533145.tif 000019
2004533145.tif 000020
2004533145.tif 000021
2004533145.tif 000022
2004533145.tif 000023
2004533145.tif 000024
2004533145.tif 000025
2004533145.tif 000026
2004533145.tif 000027
2004533145.tif 000028
2004533145.tif 000029
2004533145.tif 000030
【手続補正書】
【提出日】平成15年2月19日(2003.2.19)
【手続補正１】
【補正対象書類名】特許請求の範囲
【補正対象項目名】全文
【補正方法】変更
【補正の内容】
【特許請求の範囲】
【請求項１】
通信システムにおいて、
複数のクレジット・カード・サイズの無線長距離通信装置を備え、前記長距離通信装置の各々は、
受信器と、
埋め込みアンテナと、
マン・マシン・インターフェイスと、
処理装置と、
電源と、を備え、
前記クレジット・カード・サイズの無線長距離通信装置の全ては単一の高出力の順方向チャネル送信器基地局と通信する、通信システム。
【請求項２】
前記基地局は高温超伝導受信器を備える、請求項１に記載の通信システム。
【請求項３】
前記クレジット・カード・サイズ無線長距離通信装置は更に、送信器を備える、請求項１に記載の通信システム。
【請求項４】
前記受信器は周波数シフト・キーイング受信器を備える、請求項１に記載の通信システム。
【請求項５】
前記受信器は直接シーケンス・スペクトラム拡散変調器を備える、請求項１に記載の通信システム。
【請求項６】
前記直接シーケンス・スペクトラム拡散変調器は差動位相シフト・キーイングを備える、請求項５に記載の通信システム。
【請求項７】
前記マン・マシン・インターフェイスはディスプレイを備える、請求項１に記載の通信システム。
【請求項８】
前記ディスプレイは薄状ポリマー放射型ディスプレイである、請求項７に記載の通信システム。
【請求項９】
前記ディスプレイは、図形及びテキスト情報を表示可能である、請求項７に記載の通信システム。
【請求項１０】
前記マン・マシン・インターフェイスは少なくとも１つの押しボタンを備える、請求項７に記載の通信システム。
【請求項１１】
前記電源は一次電池を備える、請求項１に記載の通信システム。
【請求項１２】
前記一次電池電池はリチウム再充電不可能電池である、請求項１１に記載の通信システム。
【請求項１３】
前記電源は二次電池を備える、請求項１に記載の通信システム。
【請求項１４】
前記二次電池は、リチウム再充電可能電池である、請求項１３に記載の通信システム。
【請求項１５】
前記電源は更に、
ａ）定電流源充電器と、
ｂ）低ドロップアウト・アナログ・レギュレータとを備える、
請求項１４に記載の通信システム。
【請求項１６】
前記アンテナはモノポール・アンテナである、請求項１に記載の通信システム。
【請求項１７】
前記アンテナはダイポール・アンテナである、請求項１に記載の通信システム。
【請求項１８】
前記アンテナはパッチ・アンテナである、請求項１に記載の通信システム。
【請求項１９】
前記システムは、音声応答アーキテクチャであり、更に
ａ）マイクと、
ｂ）集積広帯域処理装置と、を備える、
請求項１に記載の通信システム。
【請求項２０】
前記クレジット・カード・サイズの無線長距離通信装置は柔軟性を有する、請求項１に記載の通信システム。
【請求項２１】
前記クレジット・カード・サイズの無線長距離通信装置は約３０ｋｍの距離を通信可能である、請求項１に記載の通信システム。
【請求項２２】
前記単一の高出力の順方向チャネル送信器基地局は、航空機に設けられている請求項１に記載の通信システム。
【請求項２３】
前記無線通信装置はその位置を全地球測位システムから受信し、前記基地局に前記位置をアップロードする請求項１に記載の通信システム。
【請求項２４】
前記クレジット・カード・サイズの無線長距離通信装置の全ては、質問プロトコルを利用して、前記単一の高出力の順方向チャネル送信器基地局と通信する請求項１に記載の通信システム。
【請求項２５】
クレジット・カード・サイズの無線通信システムは約０．７９ｍｍの厚さを有する請求項１に記載の通信システム。
【請求項２６】
クレジット・カード・サイズの無線通信システムは、約９．６ｍｍの長さ、約６．４ｍｍの幅を有する請求項１に記載の通信システム。
【手続補正２】
【補正対象書類名】明細書
【補正対象項目名】００１７
【補正方法】変更
【補正の内容】
【００１７】
以下に詳細に説明するように、典型的な実施形態においては、技術の融合により、Ｃ３Ｓ通信器が、長距離通信（例えば、約３０ｋｍ）を行うことや、内蔵型クレジット・カード形状となることや、フレキシブル放射型ディスプレイを備えたＭＭＩを含むことや、低再生コストを持つこと、が可能となる。長距離通信は、以下の技術によって達成されるものであり、その技術は、ＨＴＳ質問受信器、低姿勢（ｌｏｗ  ｐｒｏｆｉｌｅ）効率埋め込みアンテナ、ＤＳＳＳ、及び質問器適応アンテナ・アレーである。内蔵型スマート・カード形状は、以下の技術を用いて達成されるものであり、その技術は（柔軟性のあるカードを生成する）薄状可撓性ダイ、個々の抵抗及びコンデンサをなくして製造費用を削減するプリント集積受動素子、フレックス（ｆｌｅｘ）上のフリップ・チップ（半田ボール連結パッドを用いて、ダイを基板材料に取り付けるダイ取り付け方法）、薄状リチウム・ポリマー電池、マイクロ電気機械システム（Ｍｉｃｒｏ  Ｅｌｅｃｔｒｏ  Ｍｅｃｈａｎｉｃａｌ  Ｓｙｓｔｅｍ（ＭＥＭＳ））マイク、及び低姿勢効率埋め込みアンテナである。薄状ポリマー放射型ディスプレイの技術は、集積ＭＭＩに使用される。以下は、本発明に係るクレジット・カード通信システムを生産するための低再生コストに寄与する典型的な技術であって、その技術はリール・トゥ・リール方式及び流体内自己アセンブリーである。流体内自己アセンブリー（ＦＳＡ（商標））は、ディスプレイ材料の処理からトランジスタの製造を分離し、全タイプの平板ディスプレイ（ＦＰＤ）への駆動電子部品の組付けを効率的に行うことができる処理である。例えば、エイリアン・テクノロジー（Ａｌｉｅｎ  Ｔｅｃｈｎｏｌｏｇｙ（商標））によって開発されたＦＳＡ（商標）の説明がなされたｗｗｗ．ａｌｉｅｎｔｃｈｎｏｒｏｇｙを参照されたし。ＦＡＳ処理はディスプレイ以外の装置にも応用することができると考えられる。


【手続補正３】
【補正対象書類名】明細書
【補正対象項目名】００２３
【補正方法】変更
【補正の内容】
【００２３】
クレジット・カード形状に起因して、用いられるアンテナ構造は、クレジット・カード形状に収まるように一体化できる必要があり、たとえば、図３に示すように、アンテナは埋め込まれている。図６は、３つのとり得るアンテナ・デザインとして、モノポール・アンテナ１００、ダイポール・アンテナ１０２、及びパッチ・アンテナ１０４を示している。




【国際調査報告】
2004533145.tif 000031